(57)【要約】【課題】見栄えよく、水垢や汚れが溜まりにくいとともに、排水槽３底面に設けられた排水口２の精度が比較的低くても水漏れを起こすことの無い排水口の止水構造１を提供する。【解決手段】排水口の止水構造１は、底面に開口した排水口２を有する排水槽３と、上端に外側に広がるフランジ４が形成され、前記排水槽３の下面において前記排水口２の周縁に沿ってそのフランジ４が固定される排水管５と、前記排水口２を上方から覆う栓蓋８と、該栓蓋８が前記排水口２を覆ったときに、上端が該栓蓋８の外周面に水密的に当接するとともに、下端が前記排水管５の内周面に水密的に当接する筒状の筒部材１２と、を備える。【選択図】図１
2010116717.tif 000002
【特許請求の範囲】
【請求項１】
底面に開口した排水口を有する排水槽と、
上端に外側に広がるフランジが形成され、前記排水槽の下面において前記排水口の周縁に沿ってそのフランジが固定される排水管と、
前記排水口を上方から覆う栓蓋と、
該栓蓋が前記排水口を覆ったときに、上端が当該栓蓋の外周面に水密的に当接するとともに、下端が前記排水管の内周面に水密的に当接する筒状の筒部材と、を備えることを特徴とする排水口の止水構造。
【請求項２】
前記排水槽は陶器製であることを特徴とする請求項１に記載の排水口の止水構造。
【請求項３】
前記排水口を開放するときに、所定高さまでは前記栓蓋が単独で上昇し、所定高さを超えると、前記栓蓋に連動して前記筒部材もまた上昇することを特徴とする請求項１または請求項２に記載の排水口の止水構造。
【請求項４】
前記筒部材の下端近傍には外周側に向けて突出する弾性体からなる止水ヒレを有することを特徴とする請求項１から請求項３のいずれかに記載の排水口の止水構造。
【請求項５】
前記筒部材はその内周側に排水に混入した異物を収集する目皿を備えることを特徴とする請求項１から請求項４のいずれかに記載の排水口の止水構造。
【発明の詳細な説明】
【技術分野】
【０００１】
本発明は、排水口の止水構造に関し、特に、底面に排水口を有する排水槽の下面において、当該排水口の周縁に沿って排水管の上端に形成されたフランジが固定される排水口における止水構造に関する。
【背景技術】
【０００２】
洗顔ボールや浴槽などの排水槽においては排水槽から排水を流下させるために排水管に連通する排水口が設けられるとともに、水を貯留することができるように、排水口を閉塞することができる栓蓋を備えている。従来この種のものとしては、排水口を、排水管の上端に形成されたフランジと、排水管に螺着するロックナットと、で上方及び下方から挟み込んで挟持し、排水口と排水管とを連通させていた。
【０００３】
しかし、上述のような排水口においては、排水管の上端に形成されたフランジが排水槽の内側に露出する構造であるため、この上方側のフランジと排水槽の排水口との間に水垢などの汚れが溜まりやすい問題があった。そこで、この問題点を解消するために、例えば図６に示すように、排水栓本体１０１の上端に固定用フランジ１０２を設けて、この固定用フランジ１０２の上面を排水槽１０３の裏面に着設した状態で固定用フランジ１０２を排水口１０４に螺子１０７により固定した排水栓の取付構造１００が提案されている。この排水栓の取付構造１００においては、排水槽１０３の底面に設けられる排水口１０４を閉塞する際には、排水口１０４の内周面と栓蓋１０５との間に環状のパッキン１０６を挟みこんで止水し、排水槽１０３内に水を貯留している（特許文献１）。
【０００４】
このように構成すると、固定用フランジ１０２が排水槽１０３の内側に露出することがないので、水垢や汚れが溜まりにくく、また、排水槽１０３と材質の異なる固定用フランジ１０２が外部から見えないので、意匠性に優れる。
【０００５】
【特許文献１】特開平１０−６８１５８
【発明の開示】
【発明が解決しようとする課題】
【０００６】
ところで、排水口１０４を栓蓋１０５で閉塞して水を漏れることなく貯留するためには、栓蓋１０５の外周面及び排水口１０４の内周面が極めて高い精度で形成されていなければならない。したがって、栓蓋１０５はもちろんのこと排水槽１０３についても高い精度で加工する必要があり、品質の管理が困難であった。
【０００７】
そこで、本発明は、見栄えよく、水垢や汚れが溜まりにくいとともに、排水槽底面に設けられた排水口の精度が比較的低くても水漏れを起こすことの無い排水口の止水構造を提供することを目的とする。
【課題を解決するための手段】
【０００８】
上記の目的を達成するために、請求項１に記載の排水口の止水構造は、底面に開口した排水口を有する排水槽と、上端に外側に広がるフランジが形成され、前記排水槽の下面において前記排水口の周縁に沿ってそのフランジが固定される排水管と、前記排水口を上方から覆う栓蓋と、該栓蓋が前記排水口を覆ったときに、上端が該栓蓋の外周面に水密的に当接するとともに、下端が前記排水管の内周面に水密的に当接する筒状の筒部材と、を備えることを特徴としている。
【０００９】
また、請求項２に記載の排水口の止水構造は、前記排水槽は陶器製であることを特徴としている。
【００１０】
請求項３に記載の排水口の止水構造は、前記排水口を開放するときに、所定高さまでは前記栓蓋が単独で上方へ移動し、所定高さを超えると、前記栓蓋に連動して前記筒部材もまた上方へ移動することを特徴としている。
【００１１】
請求項４に記載の排水口の止水構造は、前記筒部材の下端近傍には外周側に向けて突出する弾性体からなる止水ヒレを有することを特徴としている。
【００１２】
請求項５に記載の排水口の止水構造は、前記筒部材はその内周側に排水に混入した異物を収集する目皿を備えることを特徴としている。
【発明の効果】
【００１３】
請求項１に記載の排水口の止水構造によると、排水槽の下面において排水口の周縁に沿って上端のフランジが固定されているので、排水槽の上面にフランジを取付けるものに比べて、水垢や汚れが溜まりにくく、また、外部から排水口の周りにフランジが見えないので、意匠性に優れる。そして、排水口を上方から覆う栓蓋の外周面と、排水口の下方に位置する排水管の内周面とが筒部材により水密的に連通しているので、排水口の精度が低く、排水口と栓蓋との間から水が流入するような場合でも、この筒部材により貯留している水が排水管内に流下することを防ぐことができる。
【００１４】
請求項２に記載の排水口の止水構造によると、陶器製の排水槽は焼成する際にやや縮む性質があるため、高い精度で加工することが困難であるが、本願は排水槽の排水口の精度が低くても排水口を簡単に閉塞することができ、水を貯留することができる。
【００１５】
請求項３に記載の排水口の止水構造によると、排水口を開放するときに、所定高さまでは栓蓋が単独で上方へ移動し、所定高さを超えると、栓蓋に連動して筒部材もまた上方へ移動するので、筒部材の下端を排水管の内周面から離反させることができ、筒部材と排水管との間に常に水が溜まった状態となることを防ぐことができ、衛生的に排水槽を使用することができる。
【００１６】
請求項４に記載の排水口の止水構造によると、筒部材の下端近傍には外周側に向けて突出する弾性体からなる止水ヒレを有するので、筒部材と排水管との間に２重の止水構造ができ水漏れの可能性をより低減することができる。特に、栓蓋を強い荷重が加わった場合には、排水管のフランジに沿って筒部材の先端が縮径されて下端側が漏水しやすくなるが、このような場合にも止水ヒレを設けることで筒部材の先端が縮径されたとしても、止水ヒレが排水管の内周面とより密接に密着するので、漏水することなく排水槽に確実に水を貯留することができる。
【００１７】
請求項５に記載の排水口の止水構造によると、筒部材の内周側に目皿を備えるので、排水に含まれる髪の毛やごみなどの異物を収集することができ、筒部材と目皿とを別々の構成にする場合に比べて部品点数を減らすことができる。
【発明を実施するための最良の形態】
【００１８】
以下において、本発明の排水口の止水構造１の最良の実施形態について、各図を参照しつつ説明する。排水口の止水構造１は、水を貯留することができるように槽状に形成され、底面に開口した排水口２を有する排水槽３と、上端に外周方向に広がるフランジ４が形成された筒状の部材であって、このフランジ４が排水槽３の下面において排水口２の周縁に沿って固定されることで、排水口２に連通する排水管５と、外周面が排水槽３から下方に突出した突部６の内周方向に固定されるリング状であって、上面が排水管５のフランジ４下面と当接して、フランジ４が排水槽３から外れることを抑止する外れ防止具７と、排水口２を上方から覆う栓蓋８と、栓蓋８の下側に設置されており、栓蓋８を上方に持ち上げることができるポップアップ機構９と、図示しない操作部からこのポップアップ機構９に動作を伝えるレリースワイヤ１０と、排水口２を栓蓋８により覆ったときに、その上端が栓蓋８の外周面に水密的に当接するとともに、その下端が排水管５の内周面に水密的に当接する筒状の部材であって、その内周側に排水とともに流下する異物を収集する目皿１１を備える筒部材１２と、を備えている。
【００１９】
排水槽２は、例えば洗面ボールや浴槽のように、水を貯留することができるとともに、水を排出することができる槽状体であって、例えば樹脂、金属、大理石、陶器、磁器、木材などの種々の材料を用いることができる。なお、陶器を用いる場合は、成形後の焼成過程においてやや縮むため高い精度で加工することが困難であるが、本願の排水槽２及び排水口は陶器を用いることもできる。この排水槽２の下面における排水口２の周縁に固定される排水管５のフランジ４は、例えば変成シリコン系やエポキシ系などの耐水性及び水密性を有する接着剤が用いられる。なお、排水槽２と排水管５のフランジ４との固定方法は、接着に限定されるものではなく、例えば螺子により固定するなどの他の固定方法であってもよい。また、例えばフランジ４の内周面と防水槽２とが螺合する構成であってもよい。
【００２０】
外れ防止具７は、排水槽２の下側に固定されつつフランジ４を下側から支えることができるように構成されている。この外れ防止具７と排水槽２との固定方法は、接着剤によるもの、嵌合によるもの、螺子などにより螺着するものなどの種々の方法で固定することができる。また、栓蓋８は、排水口２をほぼ覆う大きさに形成されており、その下面はポップアップ機構９により支持されており、図示しない操作部の操作により、上下に移動することができる。
【００２１】
このポップアップ機構９の中間部分から外側に広がるように目皿１１が形成されており、排水とともに流下する髪の毛やゴミなどの異物をこの目皿１１で濾し取って、下流の排水配管が詰まることを抑制している。そして、目皿１１の外周には水密性に優れた弾性体からなる筒部材１２が設けられており、上端は栓蓋８の外周面に水密的に当接し、下端は排水管５の内周面に水密的に当接している。なお、筒部材１２の構成はこれに限定されるものではなく、例えば、樹脂製の筒部材１２を用いることもできる。この場合、栓蓋８の外周面及び排水管５の内周面の筒部材１２に当接する位置に、それぞれ弾性を有するパッキンを設けて水密性を確保することができる。
【００２２】
排水管５は、図示しないが下端が排水配管を介して下水に連通しており、側方にはオーバーフロー流路１３に連通する開口１４が設けられている。レリースワイヤ１０はこのオーバーフロー流路１３を通ってポップアップ機構９に連結しているが、これに限定されるものではなく、他の経路から接続されたものであってもよい。また、ポップアップ機構９については公知の構成であるので説明を省略するが、排水口の止水構造１には公知の種々のポップアップ機構９を採用することができる。
【００２３】
次に、以上のように構成される排水口の止水構造１の開放動作について説明する。まず、図１に示すように、排水口２には栓蓋８により閉塞されているときには、前述のように筒部材１２の上端が栓蓋８の外周面に水密的に当接しつつ、筒部材１２の下端が排水管５の内周面に水密的に当接することで、排水槽３に貯留された水が排水口２と栓蓋８の間隙を通って排水管５内に流下すること防いでいる。すなわち、排水口２と栓蓋８との間隙に水が入り込んでも、筒部材１２により排水管５内に水が侵入することを防ぐことができる。
【００２４】
そして、排水口の止水構造１を開放するときには、図示しない操作部を操作し、レリースワイヤ１０を介してポップアップ機構９を上昇させる。ポップアップ機構９を上昇させると、図２に示すように、栓蓋８がポップアップ機構９により押し上げられる。これにより、栓蓋８の外周面に水密的に当接していた筒部材１２の上端が栓蓋８から外れて、筒部材１２と栓蓋８との間に流水間隔が開けられるので、排水槽３に貯留していた水が排水管５に流下される。
【００２５】
このとき、筒部材１２の下端は排水管５の内周面に水密的に当接したままであるので、この排水管５と筒部材１２との間にはやや水が溜まった状態となる。そして、ポップアップ機構９をさらに上昇させると、図３に示すように、栓蓋８がさらに押し上げられるとともに、筒部材１２も上方に持ち上げられる。これにより、排水管５と筒部材１２の下端も離反するので、この排水管５と筒部材１２との間に溜まった水も排水管５を通って下流に流下する。
【００２６】
以上のように、排水槽３の下面における排水口２の周縁に排水管５の上端のフランジ４を固定するような場合に、排水槽３の排水口２の精度が十分なものでなくとも、栓蓋８、筒部材１２、及び排水管５により水密性を保つことができるので、水漏れを起こす虞の無い排水口の止水構造１とすることができる。なお、開放した排水口２を閉塞する場合には、図示しない操作部を操作してポップアップ機構９を下方に移動させ、栓蓋８もその自重により下方に移動するので、排水口２に栓蓋８が嵌り図１に示すように、栓蓋８の外周面に筒部材１２の上端が水密的に当接し、排水管５の内周面に筒部材１２の下端が水密的に当接するようになり、排水口２を閉塞することができる。
【００２７】
なお、本発明の実施の形態は、本実施形態に限ることなく、本発明の思想の範囲を逸脱しない範囲で適宜変更することができることは云うまでもない。
【００２８】
筒部材１２の形状は上述の実施形態のものに限定されるものではなく、例えば、図４に示すように、筒部材１２の下端付近から外周方向に延びる止水ヒレ１５を有する構成であってもよい。このように構成すると、止水ヒレ１５が排水管５の内周面に水密的に当接して、２重の水密構造とすることができ、排水槽３により確実に水を貯留することができるとともに、栓蓋８が下方に強く押し付けられた場合などに、筒部材１２も下方に押し付けられて、筒部材１２の下端が縮径したような場合にも、この止水ヒレ１５により確実に漏水を防止することができる。
【００２９】
また、本実施形態の排水口の止水構造１は、ポップアップ機構９を有し、図示しない操作部を操作することにより、栓蓋８を上下させることができる構造としたが、これに限定されるものではなく、例えば図５に示すように、栓蓋８を上方に引き抜き、及び押し込むことにより、排水口２を開閉する構成としてもよい。このように構成した場合でも、図５（Ａ）に示すように、排水口２を閉じたときには栓蓋８の外周面に上端が水密的に当接するとともに、下端が排水管５の内周面に水密的に当接することで、排水槽３に水を確実に貯留することができる。
【００３０】
そして、図５（Ｂ）に示すように、栓蓋８の上面に取付けられたチェーン１６を引っ張って、栓蓋８を排水口２から引き離し、排水槽３に貯留された水を排出することができる。図５（Ｃ）に示すように、さらにチェーン１６を引っ張ると、栓蓋８とともに筒部材１２も排水口２から引き離されるので、筒部材１２と排水管５との間に常に水が溜まった状態となることを防ぐことができる。
【産業上の利用可能性】
【００３１】
本発明の排水口の止水構造１は、洗顔ボールなどのように意匠性を必要とする排水槽３の排水口の止水構造１として、好適に用いることができる。
【図面の簡単な説明】
【００３２】
【図１】本発明の排水口の止水構造の排水口を閉塞した状態を示す断面図。
【図２】本発明の排水口の止水構造の栓蓋を押し上げた状態を示す断面図。
【図３】本発明の排水口の止水構造の排水口を開放した状態を示す断面図。
【図４】別の形状の筒部材を用いた排水口の止水構造を説明する断面図。
【図５】本発明の排水口の止水構造の別の実施形態を説明する断面図。
【図６】従来の排水栓の取付構造を示す図。
【符号の説明】
【００３３】
１    排水口の止水構造
２    排水口
３    排水槽
４    フランジ
５    排水管
８    栓蓋
１１  目皿
１２  筒部材
１５  止水ヒレ
【図１】
2010116717.tif 000003
【図２】
2010116717.tif 000004
【図３】
2010116717.tif 000005
【図４】
2010116717.tif 000006
【図５】
2010116717.tif 000007
【図６】
2010116717.tif 000008